(57)【要約】      （修正有）【課題】耐圧機能付きセラミック弁を提供する。【解決手段】上開口端３１、下開口端及び収納空間３１を備えてなる弁筐体３０と、弁筐体の上開口端に近接したところに配置された位置決めスロット３４と、弁筐体の上開口端に組み立てられ、かつリング縁の中央部から上に向って縮径する突出管部が設けられている組立式上部台４０と、組立式上部台の周縁に凸設され、位置決めスロットに嵌め込む位置決めフック４３と、弁筐体の収納空間に収められ、駆動台５１、弁棒５２、回転ディスク５３、固定ディスク５４を備えてなる止水制御装置５０と、弁筐体の下開口端に組み入れ、固定され、止水制御装置の位置制限を行うための組立状態の下部台と、各位置決めフックと位置決めスロットの頂壁との間に設けられた圧迫防止ギャップと、組立式上部台のリング縁の頂面に設けられ、かつ弁筐体の上開口端より下沈距離を開けるように設けられている下沈型環状面と、を含む。【選択図】図３
0003188208.tif 000002
【実用新案登録請求の範囲】
【請求項１】
プラスチック材で作られた中空筒状をし、上開口端（３１）、下開口端（３２）及び該上、下開口端（３１、３２）との間にある収納空間（３３）を備えてなる弁筐体（３０）と、
弁筐体（３０）の上開口端（３１）に近接したところに、配置された横方向の貫通穴をしている、少なくともの二つの位置決めスロット（３４）と、
プラスチック材で作られ、弁筐体（３０）の上開口端（３１）に組み立てられた組立式上部台（４０）であって、該組立式上部台（４０）は、リング縁（４１）の中央部から上に向って縮径する突出管部（４２）が設けられている、組立式上部台（４０）と、
組立式上部台（４０）の周縁に凸設され、弁筐体（３０）の位置決めスロット（３４）に嵌め込み、位置を決められるための少なくともの二つの位置決めフック（４３）と、
弁筐体（３０）の収納空間（３３）に収められ、駆動台（５１）、弁棒（５２）、回転ディスク（５３）、固定ディスク（５４）を備えてなる止水制御装置（５０）であって、該駆動台（５１）は回転可能で、組立式上部台（４０）の突出管部（４２）内に組み入られ、弁棒（５２）は、駆動台（５１）に設置された横軸（５５）で、縦向きにスイングするようになり、それに、弁棒（５２）の頂端部には、駆動台（５１）の上に突き出した受動部（５２１）があり、回転ディスク（５３）は駆動台（５１）の下に組み立てられ、弁棒（５２）の底端部に動かされ、移動するようになり、該回転ディスク（５３）は固定ディスク（５４）の上に重ねられている、止水制御装置（５０）と、
弁筐体（３０）の下開口端（３２）に組み入れ、固定され、止水制御装置（５０）の位置制限を行うための組立状態の下部台（６０）と、
各位置決めフック（４３）と位置決めスロット（３４）の頂壁との間に設けられた圧迫防止ギャップ（７０）と、
組立式上部台（４０）のリング縁（４１）頂面に設けられた下沈型環状面（４４）であって、該下沈型環状面（４４）は、弁筐体（３０）の上開口端（３１）より、下沈距離を開けるように設けられている、下沈型環状面（４４）と、を含み、
そこで、該セラミック弁（Ａ）を既有蛇口の弁溝（８０）に取り付けたとき、ナットからの締付力は、弁筐体（３０）の上開口端（３１）のみが受け止めることになり、組立式上部台（４０）に圧迫をかけないように設けられ、止水制御装置（５０）の駆動台（５１）、回転ディスク（５３）、固定ディスク（５４）のプリセットの組立精度に影響を及ぼさないことを確保できることを特徴とする耐圧機能付きセラミック弁。
【請求項２】
該弁筐体（３０）の上開口端（３１）には更に、各位置決めスロット（３４）の位置に対応した斜めガイド面（３５）が設けられ、それにより、組立式上部台（４０）周縁にある位置決めフック（４３）を、そこに嵌め込ませるように導くことを特徴とする請求項１に記載の耐圧機能付きセラミック弁。
【考案の詳細な説明】
【技術分野】
【０００１】
本考案は、セラミック弁に関わり、特に、オリジナルな耐圧機能付きセラミック弁構造に関する。
【背景技術】
【０００２】
従来のセラミック弁１０の構造形態は図１に示すように、その弁筐体１１の上半分は通常、一体に射出成形されるもので、弁筐体１１の側壁１２の頂端部全体が内側へ向かい、横方向に伸ばされた頂壁１３があり、更に、上向きに伸ばされた突出管部１４が凸設されており、それにより、該頂壁１３で、弁筐体１１内部の駆動台１５、回転ディスク１６、固定ディスク１７などの部品の頂端部を押さえ、位置固定を行うことになっており、ただし、このような従来の構造形態では、実際の使用経験から分かるように、セラミック弁を蛇口の弁溝２０に組み入れたあと、該セラミック弁１０を固定するために、セラミック弁の弁筐体１０の頂壁に突き当てるように、ネット２１を締め付けられており、該ナット２１を下向きに締め付けたとき、力を入れ過ぎたりすると、塑性を有するセラミック弁１０の弁筐体１１の頂壁１３が、その力を受けて、下向きに変形してしまう（矢印Ｌ１）が、その変形量が少ないとしても、弁筐体１０内部の駆動台１５、回転ディスク１６、固定ディスク１７などの部品間が圧迫され、組立がきつくなる（矢印Ｌ２）が、弁筐体１１の頂壁１３は、駆動台１５、回転ディスク１６、固定ディスク１７などの部品を押さえ、位置固定を行うように設けられており、そこで、各部品間の組立ての緩さは必ず、セラミック弁の製造業界で精密に計算され、得られた結果となっており、それと同時に、該駆動台１５、回転ディスク１６、固定ディスク１７などの部品の組立と作動は緩みなく行われるように、組立の公差も必ず、相当に細かい誤差範囲にあることだが、そこから分かるように、上述したように、位置固定を行うため、セラミック弁のナットを下向きに締め付けるとき、蛇口に力を入れすぎて組み立てた場合、セラミック弁の弁筐体の頂壁が下向きに変形して、該駆動台、回転ディスク、固定ディスクなどの部品間にプリセットのギャップを無くす恐れがあり、そこで、各該部品間の組立がきつくなり、最終的に、工場出荷時の蛇口完成品の品質に大きくのマイナスな影響を与える問題点と欠点がある。
【０００３】
一つの説明を付け加えておくことは、蛇口製品に関して、実際の製造状況から言えば、当該蛇口構造全体の組立とセラミック弁の製造は通常、異なる工場より行われることで、上述した問題点を、後段階の蛇口の組立工場からクリアすることが困難（ナットの締付力を一致した状態に制御するのが難しいこと）であるため、前段階のセラミック弁の製造側から、その問題点を解決しなければならない。それで、従来のセラミック弁構造を改善して、上述した問題点を解決するのが、関連業者がよく検討するべき重要な技術課題となっている。
【０００４】
それゆえ、上述した従来のセラミック弁構造に存在する問題点について、より理想的で実用性のあるオリジナルな構造を開発するのが、関連業者がその開発に取り組むべき目標と方向でもある。
【０００５】
それに鑑みて、考案者は、当該関連製品の製造開発と設計に携わる長年の経験を持っており、上述した目標について詳しく設計して、慎重に評価したうえ、ようやく、実用性のある本考案を得られたわけである。
【考案の概要】
【考案が解決しようとする課題】
【０００６】
本考案は、耐圧機能付きセラミック弁を提供することを目的とし、解決しようとする技術課題は、より理想的で実用性のあるオリジナルなセラミック弁を開発することにある。
【課題を解決するための手段】
【０００７】
本考案の課題を解決しようとする技術特徴として、プラスチック材で作られた中空筒状をし、上開口端、下開口端及び該上、下開口端との間にある収納空間を備えてなる弁筐体と、弁筐体の上開口端に近接したところに配置された横方向の貫通穴をしている、少なくともの二つの位置決めスロットと、プラスチック材で作られ、弁筐体の上開口端に組み立てられた組立式上部台であって、該組立式上部台は、リング縁の中央部から上に向って縮径する突出管部が設けられている組立式上部台と、組立式上部台の周縁に凸設され、弁筐体の位置決めスロットに嵌め込み、位置を決められるための少なくともの二つの位置決めフックと、弁筐体の収納空間に収められ、駆動台、弁棒、回転ディスク、固定ディスクを備えてなる止水制御装置であって、該駆動台は回転可能で、組立式上部台の突出管部内に組み入られ、弁棒は、駆動台に設置された横軸で、縦向きにスイングするようになり、それに、弁棒の頂端部には、駆動台の上に突き出した受動部があり、回転ディスクは駆動台の下に組み立てられ、弁棒の底端部に動かされ、移動するようになり、該回転ディスクは固定ディスクの上に重ねられている止水制御装置と、弁筐体の下開口端に組み入れ、固定され、止水制御装置の位置制限を行うための組立状態の下部台と、各位置決めフックと位置決めスロットの頂壁との間に設けられた圧迫防止ギャップと、組立式上部台のリング縁の頂面に設けられた下沈型環状面であって、該下沈型環状面は、弁筐体の上開口端より下沈距離を開けるように設けられている、下沈型環状面と、を含むことを特徴とする該セラミック弁である。
【０００８】
このオリジナルな設計により、本考案は背景技術に対して、該セラミック弁を蛇口の弁溝に取り付けたとき、ナットからの締付力は、弁筐体の上開口端のみが受け止めることになり、組立式上部台に圧迫をかけず、止水制御装置の駆動台、回転ディスク、固定ディスクのプリセットの組立精度に影響を及ぼさないように設けられており、止水制御装置はセラミック弁を取り付けたあとにも、プリセットの精度と作動の品質を保てるという、実用性、進歩性及び産業上の好適な利用可能性がある。
【考案の効果】
【０００９】
本考案に掲示した「耐圧機能付きセラミック弁」は、弁筐体、位置決めスロット、組立式上部台、位置決めフック、止水制御装置、下部台、圧迫防止ギャップ、下沈型環状面などを備えてなる全体的形態と技術特徴を有するもので、本考案は[背景技術]に述べられた従来の構造に対して、該セラミック弁を蛇口の弁溝に取り付けたとき、ナットからの締付力は、弁筐体の上開口端のみが受け止めることになり、組立式上部台に圧迫をかけず、止水制御装置の駆動台、回転ディスク、固定ディスクのプリセットの組立精度に影響を及ぼさないように設けられており、止水制御装置はセラミック弁を取り付けたあとにも、プリセットの精度と作動の品質を保てるという、実用性、進歩性及び産業上の好適な利用可能性がある。
【図面の簡単な説明】
【００１０】
【図１】従来のセラミック弁構造の断面図。
【図２】本考案のセラミック弁構造の好適な実施例の組立斜視図。
【図３】本考案のセラミック弁構造の好適な実施例の分解斜視図。
【図４】本考案のセラミック弁構造の好適な実施例の分解断面図。
【図５】本考案のセラミック弁構造の好適な実施例の組立断面図。
【図６】図５の部位Ｂの拡大図。
【考案を実施するための形態】
【００１１】
図２〜図６に示すのは、本考案の耐圧機能付きセラミック弁の好適な実施例だが、これらの実施例は説明に用いられるもので、特許出願の際、これらの構造に制限されないものとする。該セラミック弁Ａは、弁筐体３０、少なくともの二つの位置決めスロット３４、組立式上部台４０、少なくともの二つの位置決めフック４３、止水制御装置５０、下部台６０、圧迫防止ギャップ７０、及び下沈型環状面４４を含む。
【００１２】
弁筐体３０は、プラスチック材で作られた中空筒状をし、上開口端３１、下開口端３２及び該上、下開口端３１、３２との間にある収納空間３３を備えてなる。
少なくともの二つの位置決めスロット３４は、弁筐体３０の上開口端３１に近接したところに、配置された横方向の貫通穴をしている。
組立式上部台４０は、プラスチック材で作られ、弁筐体３０の上開口端３１に組み立てられた組立式上部台４０であって、該組立式上部台４０は、リング縁４１の中央部から上に向って縮径する突出管部４２が設けられている。
少なくともの二つの位置決めフック４３は、組立式上部台４０の周縁に凸設され、弁筐体３０の位置決めスロット３４に嵌め込み、位置を決められる。
止水制御装置５０は、弁筐体３０の収納空間３３に収められ、駆動台５１、弁棒５２、回転ディスク５３、固定ディスク５４を備えてなる止水制御装置５０であって、該駆動台５１は回転可能で、組立式上部台４０の突出管部４２内に組み入られ、弁棒５２は、駆動台５１に設置された横軸５５で、縦向きにスイングするようになり、それに、弁棒５２の頂端部には、駆動台５１の上に突き出した受動部５２１があり、回転ディスク５３は駆動台５１の下に組み立てられ、弁棒５２の底端部に動かされ、移動するようになり、該回転ディスク５３は固定ディスク５４の上に重ねられている。
組立状態の下部台６０は、弁筐体３０の下開口端３２に組み入れ、固定され、止水制御装置５０の位置制限を行う。
圧迫防止ギャップ７０は、各位置決めフック４３と位置決めスロット３４の頂壁との間に設けられた。
下沈型環状面４４は、組立式上部台４０のリング縁４１頂面に設けられた下沈型環状面４４であって、該下沈型環状面４４は、弁筐体３０の上開口端３１より、下沈距離を開けるように設けられている（図６のＨ１）。
【００１３】
上述した構造の組合設計により、図５、図６に示すように、該セラミック弁Ａを既有蛇口の弁溝８０に取り付けたとき、ナット８１からの締付力（図５、図６の矢印Ｌ３）は、弁筐体３０の上開口端３１のみが受け止めることになり、組立式上部台４０に圧迫をかけないように設けられており、たとえ、受けた圧力が強すぎて、該弁筐体３０の上開口端３１の形が崩れ、変形した場合でも、組立式上部台４０のリング縁４１の頂面に設けられた下沈型環状面４４は、弁筐体３０の上開口端３１より下沈距離を開けるように設けられている（図６のＨ１）ことから、その場合にあっても、組立式上部台４０は圧迫されないように設けられており、一方、該圧迫防止ギャップ７０の設置により、位置決めフック４３と位置決めスロット３４の頂壁との間に、間隔を開けるように設けられており、そこで、弁筐体３０の上開口端３１が重い力を受けて、下向きに変形した場合でも、位置決めフック４３を圧迫して、組立式上部台４０に影響することはなく、止水制御装置５０の駆動台５１、回転ディスク５３、固定ディスク５４（図４）などの部品間のプリセットの組立精度に影響を及ぼさないことを確保できることで、即ち、止水制御装置５０はセラミック弁Ａを取付たあとにも、プリセットの精度（即ち、部品の重ね合わせの最適な緩さ及び作動の品質を保つことが可能で、徹底的に、上述した問題点を有効に解決することができる。
【００１４】
図４〜図６に示すのは、該弁筐体３０の上開口端３１には更に、各位置決めスロット３４の位置に対応した斜めガイド面３５が設けられ、それにより、組立式上部台４０周縁にある位置決めフック４３を、そこに嵌め込ませるように導くように設けられている。
【００１５】
上述した実施例に掲示されたのは、本考案を具体的に説明するために用いられた内容であり、文の中で、専門の用語で説明してきたが、それを以て、本考案の特許請求範囲を制限してはならないとし、この技術分野の分かる者は、本考案のコンセプトや考えを理解したうえ、それらの変更や改造を行って、それと同等な効果を得たとしても、それらの変更や改造はすべて、後述の特許請求範囲に含まれるものとする。
【符号の説明】
【００１６】
〔従来のもの〕
１０    セラミック弁
１１    弁筐体
１２    側壁
１３    頂壁
１４    突出管部
１５    駆動台
１６    回転ディスク
１７    固定ディスク
２０    蛇口の弁溝
２１    ナット
〔本考案〕
Ａ      セラミック弁  
３０    弁筐体
３１    上開口端
３２    下開口端
３３    収納空間
３４    位置決めスロット
３５    斜めガイド面
４０    組立式上部台
４１    リング縁
４２    突出管部
４３    位置決めフック
４４    下沈型環状面
５０    止水制御装置
５１    駆動台
５２    弁棒
５３    回転ディスク
５４    固定ディスク
５５    横軸
６０    下部台
７０    圧迫防止ギャップ
８０    蛇口の弁溝
８１    ナット
【図１】
0003188208.tif 000003
【図２】
0003188208.tif 000004
【図３】
0003188208.tif 000005
【図４】
0003188208.tif 000006
【図５】
0003188208.tif 000007
【図６】
0003188208.tif 000008